(57)【要約】【課題】  眼鏡の重心の偏心状態を目視観察することを可能とし、かつ観察の際に眼鏡の落下を防止する。【解決手段】  本考案の眼鏡の重心観察具１は、概略矩形板状に形成されていて、上側中央部に、眼鏡がレンズ側を一辺２ａに向けて載置される眼鏡載置部５を有する眼鏡載置板２と、該眼鏡載置板２の下側であって、該眼鏡載置板２の上記一辺２ａとその反対側の一辺２ｂとのほぼ中央位置に相当する線状重心Ａに一致させて設けられる支点部材３とを具備する。【選択図】      図１
0003115798.tif 000002
【実用新案登録請求の範囲】
【請求項１】
概略矩形板状に形成されていて、上側中央部に、眼鏡がレンズ側を一辺に向けて載置される眼鏡載置部を有する眼鏡載置板と、
該眼鏡載置板の下側であって、該眼鏡載置板の上記一辺とその反対側の一辺とのほぼ中央位置に相当する線状重心に一致させて設けられる支点部材とを具備することを特徴とする眼鏡の重心観察具。
【請求項２】
請求項１に記載の眼鏡の重心観察具において、
前記支点部材の上面または下面に、前記眼鏡載置部に眼鏡非載置のときに前記眼鏡載置板を水平姿勢に保持する水平面が前記線状重心と平行に形成されているとともに、該水平面の上記線状重心を横切る方向における両側に湾曲面が形成されていることを特徴とする眼鏡の重心観察具。
【請求項３】
請求項２に記載の眼鏡の重心観察具において、
前記水平面および湾曲面が上面に形成された支点部材を有し、該支点部材の上記水平面における両湾曲面で挟まれる方向の中央部に凹状または凸状の滑止め部が形成され、一方、眼鏡載置板の下面に上記滑止め部に嵌り込む逆形状の被滑止め部が形成されていることを特徴とする眼鏡の重心観察具。
【請求項４】
請求項３に記載の眼鏡の重心観察具において、
前記滑止め部および被滑止め部が線状に形成されていることを特徴とする眼鏡の重心観察具。
【請求項５】
請求項１乃至４のいずれかに記載の眼鏡の重心観察具において、
前記眼鏡載置部には、眼鏡の平面図形が描かれており、その平面図形が眼鏡載置板の上面に直接描いて形成されたもの、又は眼鏡載置板の上面に貼着されるシートに描かれれたものであることを特徴とする眼鏡の重心観察具。
【請求項６】
請求項３乃至５のいずれかに記載の眼鏡の重心観察具において、
前記支点部材の下面側に、該支点部材が取付けられる支持板が設けられていることを特徴とする眼鏡の重心観察具。
【請求項７】
請求項２乃至６のいずれかに記載の眼鏡の重心観察具において、
前記眼鏡載置部における前記線状重心の上に、前後方向長さの中央部に重心を有する眼鏡の該重心を一致させる目印が形成されていることを特徴とする眼鏡の重心観察具。
【考案の詳細な説明】
【技術分野】
【０００１】
本考案は、眼鏡の重心を観察させるための眼鏡の重心観察具に関する。
【背景技術】
【０００２】
眼鏡の重心位置は、眼鏡を装着したときの安定感等に影響し重要である。このため、特許文献１のように、眼鏡のテンプル部等にバランスウエイトを付ける等により、眼鏡のバランスを調整したものが考えられている。
【０００３】
ところで、従来において、眼鏡の重心を確認する方式として、眼鏡フレームの左右両側のテンプル部を、大まかな勘で指により支える方式が一般的であった。
【特許文献１】特開２００４−１８４８１９号公報
【考案の開示】
【考案が解決しようとする課題】
【０００４】
上述した方式により眼鏡の重心を観察する場合、２つのテンプル部を両方の腕を用いてテンプル部の下側から支えるため、重心が合わないと眼鏡が落下して眼鏡レンズを傷付ける虞があった。特に、販売店においては、お客の眼鏡を傷付けることは好ましくない。また、上記方式は、重心を合わすことを前提としたものである故に、重心が偏心位置に存在する眼鏡を、仮に重心位置で指にて水平姿勢に支持できても、眼鏡の重心の偏心状態を目視観察することは不可能であった。
【０００５】
本考案は、このような従来技術の課題を解決するためになされたものであり、眼鏡の重心の偏心状態を目視観察することを可能とし、かつ観察の際に眼鏡の落下を防止することができる眼鏡の重心観察具を提供することを目的とする。
【課題を解決するための手段】
【０００６】
本考案の眼鏡の重心観察具は、概略矩形板状に形成されていて、上側中央部に、眼鏡がレンズ側を一辺に向けて載置される眼鏡載置部を有する眼鏡載置板と、該眼鏡載置板の下側であって、該眼鏡載置板の上記一辺とその反対側の一辺とのほぼ中央位置に相当する線状重心に一致させて設けられる支点部材とを具備することを特徴とする。
【０００７】
本考案の請求項２の眼鏡の重心観察具は、請求項１に記載の眼鏡の重心観察具において、前記支点部材の上面または下面に、前記眼鏡載置部に眼鏡非載置のときに前記眼鏡載置板を水平姿勢に保持する水平面が前記線状重心と平行に形成されているとともに、該水平面の上記線状重心を横切る方向における両側に湾曲面が形成されていることを特徴とする。
【０００８】
本考案の請求項３の眼鏡の重心観察具は、請求項２に記載の眼鏡の重心観察具において、前記水平面および湾曲面が上面に形成された支点部材を有し、該支点部材の上記水平面における両湾曲面で挟まれる方向の中央部に凹状または凸状の滑止め部が形成され、一方、眼鏡載置板の下面に上記滑止め部に嵌り込む逆形状の被滑止め部が形成されていることを特徴とする。
【０００９】
本考案の請求項４の眼鏡の重心観察具は、請求項３に記載の眼鏡の重心観察具において、前記滑止め部および被滑止め部が線状に形成されていることを特徴とする。
【００１０】
本考案の請求項５の眼鏡の重心観察具は、請求項１乃至４のいずれかに記載の眼鏡の重心観察具において、前記眼鏡載置部には、眼鏡の平面図形が描かれており、その平面図形が眼鏡載置板の上面に直接描いて形成されたもの、又は眼鏡載置板の上面に貼着されるシートに描かれれたものであることを特徴とする。
【００１１】
本考案の請求項６の眼鏡の重心観察具は、請求項３乃至５のいずれかに記載の眼鏡の重心観察具において、前記支点部材の下面側に、該支点部材が取付けられる支持板が設けられていることを特徴とする。
【００１２】
本考案の請求項７の眼鏡の重心観察具は、請求項２乃至６のいずれかに記載の眼鏡の重心観察具において、前記眼鏡載置部における前記線状重心の上に、前後方向長さの中央部に重心を有する眼鏡の該重心を一致させる目印が形成されていることを特徴とする。
【考案の効果】
【００１３】
本考案の眼鏡の重心観察具による場合には、支点部材の上に設けられる眼鏡載置板の上面の眼鏡載置部に眼鏡を載置し、眼鏡の重心が眼鏡載置板の線状重心と一致していないと、眼鏡載置板がレンズを向ける一辺側またはその反対側に傾く。よって、眼鏡の重心の偏心状態を目視観察することが可能となり、しかも観察の際に眼鏡の落下を防止することができる。
【００１４】
請求項２の眼鏡の重心観察具による場合には、支点部材に水平面が形成されているので、その水平面により眼鏡載置板を、長時間の揺動を防止して、短時間で水平姿勢にさせ得る。また、水平面の両側の湾曲面が形成されているので、眼鏡載置板の傾き動作を邪魔せずに眼鏡載置板を容易に傾かし得る。このとき、支点部材の下面に水平面および湾曲面を形成し、その支点部材の上面に眼鏡載置板を取付けた構成でも、或いは、上面に水平面および湾曲面が形成された支点部材を水平な面の上に載置し、その支点部材の上に眼鏡載置板を揺動可能に配置した構成でも採ることができる。
【００１５】
請求項３および４の眼鏡の重心観察具による場合には、上述した２つの構成のうちの後者の構成を採るとき、滑止め部が被滑止め部に嵌り込むので、眼鏡載置板と支点部材との位置合わせを容易に行うことができ、また重心を観察する際に眼鏡載置板と支点部材とが位置ズレするのを防止することができる。
【００１６】
請求項５の眼鏡の重心観察具による場合は、眼鏡の平面図形が描かれた部分に一致するように眼鏡を載置するだけで重心観察を簡単に行うことができる。
【００１７】
請求項６の眼鏡の重心観察具による場合には、支点部材の下面に支持板が取付けられているので、支点部材と眼鏡載置板とを位置合わせするときに、支持板の重量や支持板を置く面と支持板との間の摩擦抵抗により、支点部材が逃げずに容易に位置合わせを行うことが可能となる。
【００１８】
請求項７の眼鏡の重心観察具による場合には、前後方向長さの中央部に重心を有する眼鏡、つまり左右方向は勿論であるが、前後方向でもバランスをとった眼鏡を眼鏡載置部の上に載せるとき、その眼鏡の重心を、眼鏡載置部の線状重心上に形成した目印の上に合わせると、水平面の作用により眼鏡載置板が水平姿勢に維持されることになり、前後方向でバランスをとった眼鏡のバランス状態を目視観察することも可能である。
【考案を実施するための最良の形態】
【００１９】
以下に、本考案を具体的に説明する。
【００２０】
図１は本実施形態に係る眼鏡の重心観察具を示す分解斜視図、図２はその眼鏡の重心観察具を構成する支点部材の近傍部分を示す正面図である。
【００２１】
この眼鏡の重心観察具１は、眼鏡載置板２と支点部材３と支持板４とを有する。眼鏡載置板２は、概略矩形板状に形成されていて、眼鏡載置板２の上面には、眼鏡載置部５として機能する眼鏡の平面図形が描かれたシート６が、眼鏡載置部５を眼鏡載置板２の上側中央部に位置させ、かつレンズ側を眼鏡載置板２の一辺２ａに向けて眼鏡を載置するように貼着されている。
【００２２】
この眼鏡載置板２は、上記一辺２ａとこれとは反対側の一辺２ｂとのほぼ中央位置に相当する箇所に線状の重心Ａを有するもので、眼鏡載置部５の中心、つまり線状重心Ａの中央位置には、目印１０、例えば図示例では丸印が形成されている。この目印１０は、前後方向長さの中央部に重心を有する眼鏡、つまり左右方向は勿論であるが、前後方向でもバランスをとった眼鏡を眼鏡載置部５の上に載せるとき、その眼鏡の重心を合わせるために用いられる。なお、眼鏡載置部５としては、眼鏡載置板２の上面に眼鏡の平面図形および目印１０が描かれたものを用いてもよい。
【００２３】
この眼鏡載置板２の下側には、支点部材３が設けられている。この支点部材３は、眼鏡載置板２の線状重心Ａに沿って配されるもので、眼鏡載置板２を揺動可能に支持する。また、支点部材３は、断面形状が概略四角形状をした棒状のものからなり、上面の幅中央部分には水平面３ａが形成され、水平面３ａの幅方向の両側には湾曲面３ｂがそれぞれ形成されている。水平面３ａは、眼鏡載置部５に眼鏡を非載置のときに、長時間の揺動を防止して、眼鏡載置板２を短時間で水平姿勢にするためのものである。一方、両湾曲面３ｂは、眼鏡載置板２の傾き動作を邪魔せずに眼鏡載置板２を容易に傾かし得るようにするためのもので、水平面３ａを前記幅方向に横切る方向における両側に形成されている。
【００２４】
水平面３ａの幅中央部には、凹状の滑止め部７が設けられている。一方、眼鏡載置板２の下面における線状重心Ａには上記滑止め部７に嵌り込む逆形状である凸状の被滑止め部８が形成されている。これら滑止め部７および被滑止め部８は、滑止め部７を被滑止め部８に嵌り込ませることで、眼鏡載置板２と支点部材３との位置合わせを容易に行うことができ、また重心観察の際に眼鏡載置板２と支点部材３とが位置ズレするのを防止することができるようにするために設けられている。
【００２５】
また、この支点部材３は、本実施形態ではその下側の支持板４の上面に接着等により取付けられている。支持板４は、本実施形態では概略矩形状をした板材が用いられている。支持板４を用いる理由は、支点部材３と眼鏡載置板２とを位置合わせするときに、支持板４の重量や支持板４を置く面と支持板４との間の摩擦抵抗により、支点部材３が逃げずに容易に位置合わせを行うようにするためである。なお、支持板４の下面には、滑止め９が複数設けられている。
【００２６】
したがって、支持板４を、支点部材３を上側にして、例えばテーブルの上にほぼ水平に置き、支点部材３の上に眼鏡載置板２を、滑止め部７に被滑止め部８を嵌り込むようにして取付けることで、本実施形態の眼鏡の重心観察具１が完成する。そして、眼鏡載置板２の眼鏡載置部５に眼鏡を置く、つまりシート６上に描かれた眼鏡の平面図形に一致させるように観察用の眼鏡を置く。すると、一般のレンズ側が重い眼鏡であれば、一辺２ａ側が一辺２ｂ側よりも下になるように傾く。この傾きにより、眼鏡の重心が偏心していることを目視により観察することが可能になる。また、眼鏡を眼鏡載置板２の上に載せて観察を行うので、眼鏡の落下を防止することができる。
【００２７】
一方、眼鏡のレンズ側を前側として前後方向の中央部に重心を有する眼鏡、例えば左右のテンプル部の後端に設けられたモダン部に取付けられて、前後方向の中央部に重心を位置させるバランスウエイトを有する眼鏡を、眼鏡載置部５の上に載せる場合は、その眼鏡の重心を目印１０の上に合わせると、水平面３ａの作用により眼鏡載置板２が水平姿勢に維持されることになり、前後方向でバランスをとった眼鏡のバランス状態を目視観察することも可能である。
【００２８】
なお、上述した実施形態では、上面に水平面および湾曲面が形成された支点部材を水平な支持板上に設け、その支点部材の上に眼鏡載置板を揺動可能に配置した構成としているが、本考案はこれに限らない。例えば、図３に示すように、支持板を省略し、支点部材３を直接にテーブル等の水平面上に置き、その上に眼鏡載置板２を設けた構成としてもよい。或いは、図４に示すように、支点部材３の下面側に水平面３ａおよび湾曲面３ｂを配置させ、その支点部材３の上面に眼鏡載置板２を貼着等にて取付けた構成としてもよい。この場合には、支点部材３を、テーブル等の水平面の上に配置し、支点部材３がテーブル等の水平面の上で揺動させ得るようにすることが好ましい。また、図４の場合には、支点部材３の上面を眼鏡載置板２の下面側に、線状重心Ａに一致させて予め取付けた構成とし得るので、滑止め部７および被滑止め部８を省略することができる。なお、図３及び図４においては、図１、図２と同一部分には同一番号を付している。
【００２９】
また、上述した実施形態では、滑止め部および被滑止め部を連続した線状に形成した構成としているが、本考案はこれに限らず、断続的な点状に形成した構成としてもよい。
【００３０】
更に、上述した実施形態では、滑止め部を凹状に、被滑止め部を凸状にそれぞれ形成しているが、本考案はこれとは逆に、滑止め部を凸状に、被滑止め部を凹状にそれぞれ形成してもよい。
【図面の簡単な説明】
【００３１】
【図１】本考案の一実施形態に係る眼鏡の重心観察具を示す分解斜視図である。
【図２】図１の眼鏡の重心観察具を構成する支点部材の近傍部分を示す正面図である。
【図３】本考案の他の実施形態に係る眼鏡の重心観察具を示す正面図である。
【図４】本考案の更に他の実施形態に係る眼鏡の重心観察具を示す正面図である。
【符号の説明】
【００３２】
１    眼鏡の重心観察具
２    眼鏡載置板
２ａ    一辺
２ｂ    反対側の一辺
３    支点部材
３ａ    水平面
３ｂ    湾曲面
４    支持板
５    眼鏡載置部
６    シート
７    滑止め部
８    被滑止め部
Ａ    線状重心
【図１】
0003115798.tif 000003
【図２】
0003115798.tif 000004
【図３】
0003115798.tif 000005
【図４】
0003115798.tif 000006